(57)【特許請求の範囲】
【請求項１】
屋根の骨格を形成する支持部材（２）に波型に屈折された金属製のタイトフレーム（４）を固設し、該タイトフレーム（４）に波型に屈折された長尺の金属板から成る複数の外囲板（６）を互いの側部を結合させて並列に支承せしめ、前記外囲板（６）の波型の上面の上に長尺状の金属板から成る複数の保水板（２０）を並列に配置し、前記外囲板（６）の波型の上面と前記保水板（２０）の下面との間に前記外囲板（６）の長手方向に延びる角柱状の空気層（３８）を設け、前記保水板（２０）の側部を隣接する保水板（２０）の側部に前記外囲板（６）の頂部上で結合し、前記保水板（２０）に長尺状の底板部（２０ａ）とこれの両側に屈折形成された側板部（２０ｂ）（２０ｃ）と前記底板部（２０ａ）に立設された堰止め部（２０ｈ）とで水溜部（２６）を設け、該水溜部（２６）の上に吸水材（２８）を配置し、該吸水材（２８）の上に植栽用の土壌（３４）を積層し該土壌（３４）に植物を植え付けることができるようにし、前記外囲板（６）とその上に重ねられた保水板（２０）とで二重防水屋根を構成したことを特徴とする緑化屋根。
【請求項２】
前記保水板（２０）の側板部（２０ｂ）（２０ｃ）に、前記水溜部（２６）の保水機能が失われない位置に空気穴（３０）を設けたことを特徴とする「請求項１」に記載の緑化屋根。
【発明の詳細な説明】
【０００１】
【発明の属する技術分野】
本発明は、芝生などの植物を植え付けることができるようにした緑化屋根に関する。
【０００２】
【従来の技術】
特開平９−１３２９５４号公報には、長尺の金属板から成る屋根板に水溜部を形成し、この水溜部に吸水材を充填し、吸水材の上に芝生などの植物を植え付けることができるようにした緑化屋根が開示されている。
また、特開平９−１４４２３３号公報には互いに並列状に接合された各屋根板の帯状部に自重によって湾曲凹部を形成し、この湾曲凹部内に吸水材を配置し、該吸水材の上に芝生などの植物を植え付けることができるようにした緑化屋根が開示されている。
【０００３】
【発明が解決しようとする課題】
緑化屋根は植物の育成のために屋根の上に散水したり、あるいは土壌等を盛るため屋根に負荷がかかり、屋根板に生じる歪み等により水が漏れる恐れがあった。また、植物の育成にとって悪影響を及ぼす結露を避けるため従来は断熱材を屋根板の下側に配置していたが、断熱材敷設工事に手間がかかるとともにコスト高となるという問題点が存した。
本発明は、上記問題点を解決することを目的とするものである。
【０００４】
【課題を解決するための手段】
上記目的を達成するため、本発明は、屋根の骨格を形成する支持部材（２）に波型に屈折された金属製のタイトフレーム（４）を固設し、該タイトフレーム（４）に波型に屈折された長尺の金属板から成る複数の外囲板（６）を互いの側部を結合させて並列に支承せしめ、前記外囲板（６）の波型の上面の上に長尺状の金属板から成る複数の保水板（２０）を並列に配置し、前記外囲板（６）の波型の上面と前記保水板（２０）の下面との間に前記外囲板（６）の長手方向に延びる角柱状の空気層（３８）を設け、前記保水板（２０）の側部を隣接する保水板（２０）の側部に前記外囲板（６）の頂部上で結合し、前記保水板（２０）に長尺状の底板部（２０ａ）とこれの両側に屈折形成された側板部（２０ｂ）（２０ｃ）と前記底板部（２０ａ）に立設された堰止め部（２０ｈ）とで水溜部（２６）を設け、該水溜部（２６）の上に吸水材（２８）を配置し、該吸水材（２８）の上に植栽用の土壌（３４）を積層し該土壌（３４）に植物を植え付けることができるようにし、前記外囲板（６）とその上に重ねられた保水板（２０）とで二重防水屋根を構成したものである。
また本発明は、前記保水板（２０）の側板部（２０ｂ）（２０ｃ）に、前記水溜部（２６）の保水機能が失われない位置に空気穴（３０）を設けたものである。
【０００５】
【発明の実施の形態】
以下に本発明の実施の形態を添付した図面を参照して詳細に説明する。
図１において、２は建物の屋根の骨格を構成する母屋即ち支持部材であり、Ｈ型鋼あるいはＣ型鋼により構成されている。４は帯状の鋼板から成るタイトフレームであり、複数の山型の凸部４ａが所定間隔を存して形成されている。
【０００６】
前記タイトフレーム４の底部４ｂは前記支持部材２にビスなどによって固定され、各タイトフレーム４の凸部４ａは、屋根の棟に対して直角な軸線上で一致するように、紙面垂直方向に並列状に複数配置され、各々が支持部材２に固定されている。６は鋼板などの金属板から成る長尺状の外囲板であり、複数並列に配置され、外囲板６の各々の長手方向が紙面垂直方向即ち棟と軒先間にまたがって延びている。
【０００７】
各外囲板６にはタイトフレーム４の波型形状に対応した波型屈折形状が全長にわたって幅方向に形成されている。各外囲板６は支持部材２の並列配置平面上に支持部材２に対して直角に配置され、各々の外囲板６は、対応するタイトフレーム４に嵌合し、隣接する外囲板６，６のうち一方の外囲板６の一方部分６ａと、他方の外囲板６の他方部分６ｂとは、対応するタイトフレーム４の凸部４ａ上で重ね合わされている。
【０００８】
前記タイトフレーム４の凸部４ａ及び外囲板６の側部にはボルト１０用の穴が穿設されている。一対の外囲板６，６の重ね合わされた部分は、防水パッキンが接合する座金８を介してボルト１０とナット１２によって、タイトフレーム４の凸部４ａに固定されている。
【０００９】
各外囲板６の両側部間の頂部は対応するタイトフレーム４の凸部４ａに嵌合し、該嵌合部分が防水パッキンが接合する座金１４を介してボルト１６とナット１８によって、タイトフレーム４の凸部４ａに固定されている。２０は長尺状の鋼板等の金属板から成る保水板であり、帯状の底板部２０ａと、該底板部２０ａの両側に形成された傾斜側板部２０ｂ，２０ｃと、両側板部２０ｂ，２０ｃの上端縁に屈折形成された帯状の上位水平部２０ｄ，２０ｅと、一方の上位水平部２０ｄの側端縁に下向きに屈折形成された垂下部２０ｆとが一体的に形成されている。
【００１０】
保水板２０は側板部２０ｂ，２０ｃ等を屈折加工する前に予め図３に示すように、適所を所定幅Ｄを存して三重に折り畳んで二重部分２０ｇを形成している。保水板２０にこの折り畳み部を屈折形成した後、側板部２０ｂ，２０ｃと上位水平部２０ｄ，２０ｅと垂下部２０ｆを屈折形成し、しかる後に底板部２０ａの二重部分２０ｇを、図中、Ｆ方向に立ち上げ、保水板２０の長手方向に対して直角に堰止め部２０ｈを形成している。
【００１１】
前記保水板２０は、その長手方向が建物の棟に対して直角となるように、複数、外囲板６上に並列に配置され、各々の底板部２０ａが、外囲板６の谷の部分即ち凹部内に配置されている。各保水板２０の上位水平部２０ｄ，２０ｅは、隣接する保水板２０の上位水平部２０ｄ，２０ｅと重ね合わされ、この合接部は、これに穿設された穴を介して対応するボルト１６に嵌合し、該合接部の下面がナット１８に係止されている。
【００１２】
更に、隣接する保水板２０の上位水平部２０ｄ，２０ｅの合接部は、防水パッキンが接合する座金２２を介して、ボルト１６に螺合するナット２４により、ボルト１６に固定されている。互いにボルト１６とナット２４とで外囲板６上に結合された複数の保水板２０の結合形状は、図１に示すように断面形状が波型に形成され、各々の長手方向に沿って即ち図１中、紙面垂直方向に、雨水あるいは散水チューブ（図示省略）からの水が棟から軒先に向かって、前記堰止め部２０ｈを乗り越えて流れるように構成されている。
【００１３】
雨水などの水は、保水板２０の底板部２０ａと両側板部２０ｂ，２０ｃ及び堰止め部２０ｈとで囲まれた水溜部２６に貯水される構成となっている。前記水溜部２６には、パーライトと呼ばれる天然ガラス系黒曜石を焼成発泡した無機質超軽量礫状骨材から成る吸水材２８が配置されている。なお、吸水材２８はパーライトに特に限定されるものではなく、砂、土壌その他を用いることができる。
【００１４】
前記保水板２０の側板部２０ｂ，２０ｃには図２に示すように、水溜部２６の保水機能が失われない位置に空気穴３０が形成され、これにより、保水板２０の凹部内の通気性を高め、植物の根腐れ現象を防いでいる。なお、この空気穴３０は、特に設けなくとも良い。前記吸水材２８の上には合成樹脂製のネット３２が張られ、このネット３２により植物の根系を支持している。ネット３２の上には植栽用土壌３４が盛られている。
【００１５】
建物の軒先部分、棟部分及びケラバ部分には土止め用の砂袋（図示省略）が配置され、これらの砂袋によって植栽用土壌３４が屋根上でずれたり、土壌３４の山が崩れて屋根の外にこぼれ落ちるのを防止している。屋根の棟には、略全長にわたって管壁に散水孔が穿設された散水チューブ（図示省略）が配置されている。散水チューブから出た水は、屋根の一番上の水溜部２６にまず溜まり、上段の水溜部２６が水で一杯になると、ここから溢れて下段の水溜部２６に順次供給される。
【００１６】
本発明の緑化屋根は、図１に示すように、保水板２０の下側に紙面垂直方向に延びる角柱状の空気層３８が形成され、この空気層が屋根の断熱効果を高める作用を有している。この断熱効果により、植物の育成にとって好ましくない結露を防止することができるものである。また、図１から明らかなように、屋根は、外囲板６とその上に重ねられた保水板２０とから成る二重防水構造となっており、屋根の雨漏り防止機能を高めている。
【００１７】
上記実施形態では、波形外囲板６どうしの結合及び保水板２０どうしの結合をボルト１６とナット１２，２４を用いた構成としているが、特にこのボルト堅締構造に限定されるものではない。図４において、タイトフレーム４には、Ｌ型の吊子４０が設けられ、この吊子４０に、外囲板６の一方部分６ａが重ね合わされ、隣接する外囲板６の他方部分６ｂが吊子４０と前記一方部分６ａの上から巻き込むように屈曲圧着され、これにより、外囲板７の一方部分６ａと隣接する外囲板６の他方部分６ｂが吊子４０に固着されている。
【００１８】
保水板２０の一方の上位水平部２０ｄの延長部には、湾曲部２０ｉが形成され、該湾曲部２０ｉが、吊子４０と外囲板６との接合部４２に嵌合し、隣接する保水板２０の他方の上位水平部２０ｅの延長部は、前記湾曲部２０ｉの上から吊子４０に嵌合し、前記接合部４２に圧嵌している。図４の他の構成は図１の実施形態と同一であり、同一の構成部分には対応関係を明らかにするために同一の符号を付してある。
【００１９】
図５は互いに隣接する保水板を外囲板の頂部に両面粘着テープによって固着する構成を示している。
図５において、互いに隣接する外囲板６，６の側部は、タイトフレーム４の頂部に固設された吊子４４に嵌合結合し、吊子４４にキャップ４６が嵌着されている。互いに隣接する保水板２０，２０のうち、一方の保水板２０の一方の上位水平部２０ｄは両面テープ４８を介してキャップ４６の上面に接着し、隣接する他方の保水板２０の他方の上位水平部２０ｅは、一方の保水板２０の一方の上位水平部２０ｄの上面に両面テープ５０を介して接着され、隣接する保水板２０，２０の側部は、吊子４４を介してタイトフレーム４の頂部に結合している。他の構成は図１に示す第１の実施形態と同一であり、対応する構成には同一の符号が付与されている。
【００２０】
【発明の効果】
本発明は上述の如く構成したので緑化屋根の防水機能を高めることができるとともに断熱機能を高めることができる効果が存する。
【図面の簡単な説明】
【図１】本発明の屋根の断面図である。
【図２】本発明の屋根の要部の斜視図である。
【図３】保水板の斜視図である。
【図４】本発明の屋根の他の実施形態を示す断面図である。
【図５】本発明の屋根の他の実施形態を示す断面図である。
【符号の説明】
２        支持部材
４        タイトフレーム
４ａ      凸部
４ｂ      底部
６        外囲板
６ａ      一方部分
６ｂ      他方部分
８        座金
１０      ボルト
１２      ナット
１４      座金
１６      ボルト
１８      ナット
２０      保水板
２０ａ    底板部
２０ｂ    側板部
２０ｃ    側板部
２０ｄ    上位水平部
２０ｅ    上位水平部
２０ｆ    垂下部
２０ｇ    二重部分
２０ｈ    堰止め部
２０ｉ    湾曲部
２２      座金
２４      ナット
２６      水溜め部
２８      吸水材
３０      空気穴
３２      ナット
３４      土壌
３６      植物
３８      空気層
４０      吊子
４２      接合部
４４      吊子
４６      キャップ
４８      両面テープ
５０      両面テープ
【図１】
0004285840.tif 000002
【図２】
0004285840.tif 000003
【図３】
0004285840.tif 000004
【図４】
0004285840.tif 000005
【図５】
0004285840.tif 000006